(57)【要約】      （修正有）【課題】ローカルＩＰアドレスを使用したインターネットサービスを受けているユーザーが費用の安いインターネット電話を利用する。【解決手段】ローカルＩＰアドレス用ＶＯＩＰサーバーにアクセスし接続先の電話番号を指定することにより、接続先のローカルＩＰアドレスが設定されている電話機に接続するようにし、指定した接続先の電話番号がローカルＩＰアドレス用ＶＯＩＰサーバーのデータテーブルに存在しない場合は、インターネット回路網に接続されたＶＯＩＰサーバーに接続要求を転送し、ＶＯＩＰサーバーのデータテーブルに指定した接続先の電話番号が存在する場合は、接続先のＩＰアドレスが設定されている電話機に接続するようにし、ＶＯＩＰサーバーのデータテーブルに指定した接続先の電話番号が存在しない場合は、公衆電話回線により電話機の接続を行うようにした。【選択図】図１
2005080236.tif 000002
【特許請求の範囲】
【請求項１】
電話機を公衆電話回線とインターネット回路網とに識別信号に応じて切り替え
接続を行うＶＯＩＰアダプターを、ローカルＩＰアドレスを使用したインターネ
ットプロバイダーの回路網に接続し、ローカルＩＰアドレスを使用したインター
ネットプロバイダーの中に、ＶＯＩＰアダプターを特定する電話番号とこれに対
応するローカルＩＰアドレスを対にして設定されているデータテーブルを持ち、
電話番号とＩＰアドレスのデータの管理を行うゲートキーパー機能を持ったロー
カルＩＰアドレス用ＶＯＩＰサーバーを設け、
又、インターネット回路網の中に、グローバルＩＰアドレスを持ったインターネ
ット回路網に接続されたＶＯＩＰアダプターに接続された電話機を特定する電話
番号とこれに対応するグローバルＩＰアドレスを対にしたデータテーブルと、ロ
ーカルＩＰアドレス用ＶＯＩＰサーバーのグローバルＩＰアドレスとローカルＩ
Ｐアドレスを使用したプロバイダーのインターネット回路に接続されたＶＯＩＰ
アダプターに接続された電話機を特定する電話番号のデータテーブルとを持ち、
電話番号とグローバルＩＰアドレスのデータの管理を行うゲートキーパー機能を
持ったＶＯＩＰサーバーを設け、
電話機よりＶＯＩＰアダプターを通してローカルＩＰアドレス用ＶＯＩＰサーバ
ーにアクセスし接続先の電話番号を指定するようにし、指定した接続先の電話番
号がローカルＩＰアドレス用ＶＯＩＰサーバーのデータテーブルに存在する場合
は、接続先のローカルＩＰアドレスが設定されている電話機に接続するようにし、
指定した接続先の電話番号がローカルＩＰアドレス用ＶＯＩＰサーバーのデータ
テーブルに存在しない場合は、ローカルＩＰアドレス用ＶＯＩＰサーバーよりイ
ンターネット回路網に接続されたＶＯＩＰサーバーに接続要求を転送し、
ＶＯＩＰサーバーのデータテーブルに指定した接続先の電話番号が存在する場合
は、接続先のＩＰアドレスが設定されている電話機に接続するようにし、
ＶＯＩＰサーバーのデータテーブルに指定した接続先の電話番号が存在しない場
合は、ＶＯＩＰアダプターを介して公衆電話回線により電話機の接続を行うよう
にしたローカルＩＰアドレスを使用したインターネット電話の接続システム。
【請求項２】
電話機の接続される端子と、インターネットのネットワークインターフェイス
と、アナログ電話機の公衆回線のインターフェイスとを持ち、電話機から送られ
る識別信号に応じて電話機をインターネットへの接続とするか、公衆電話回線へ
の接続とするかの選択接続機能と、インターネットへの接続するための音声処理
を行うＶＯＩＰに対応した機能を備えたＶＯＩＰアダプター、該ＶＯＩＰアダプ
ターに接続された電話機、ＶＯＩＰアダプターをインターネット回路網に接続す
るインターネットモデム、ローカルＩＰアドレスを使用したプロバイダーのイン
ターネット回路の中に設けられ、グローバルＩＰアドレスを持ってインターネッ
ト回路網に接続され、ローカルＩＰアドレスを使用したプロバイダーのインター
ネット回路に接続されたＶＯＩＰアダプターを特定する電話番号とこの電話番号
に対応するローカルＩＰアドレスを対にした登録データを持ち、電話番号とロー
カルＩＰアドレスの登録データの管理を行うゲートキーパー機能を持ったローカ
ルＩＰアドレス用ＶＯＩＰサーバー、
インターネット回路網の中に設けられ、グローバルＩＰアドレスを持ったインタ
ーネット回路網に接続されたＶＯＩＰアダプターに接続された電話機を特定する
電話番号とこれに対応するグローバルＩＰアドレスを対にしたデータテーブルと、
ローカルＩＰアドレス用ＶＯＩＰサーバーのグローバルＩＰアドレスとローカル
ＩＰアドレスを使用したプロバイダーのインターネット回路に接続されたＶＯＩ
Ｐアダプターに接続された電話機を特定する電話番号のデータテーブルとを持ち
、電話番号とグローバルＩＰアドレスのデータの管理を行うゲートキーパー機能
を持ったＶＯＩＰサーバーとを具備し、
ローカルＩＰアドレスを使用したインターネット回路の電話機よりＶＯＩＰアダ
プターを通してローカルＩＰアドレス用ＶＯＩＰサーバーにアクセスし、接続先
の電話番号を指定することにより、指定した電話番号がローカルＩＰアドレスを
使用したインターネット回路の電話機である場合には、ローカルＩＰアドレス用
ＶＯＩＰサーバーによりローカルＩＰアドレスを使用したインターネット回路を
介して電話機間の接続を行い、指定した電話番号がローカルＩＰアドレスを使用
したインターネット回路の電話機でない場合には、ローカルＩＰアドレス用
ＶＯＩＰサーバーよりインターネット回路網のＶＯＩＰサーバーにアクセスし、
ＶＯＩＰサーバーに登録された電話番号を検索しインターネット回路網の電話機
である場合には、ローカルＩＰアドレスを使用したインターネット回路とインタ
ーネット回路網を介して電話機間の接続を行うように構成して、
ローカルＩＰアドレスを使用したインターネットプロバイダに接続された電話機
より公衆電話回線を使用せずにローカルＩＰアドレスを使用したインターネット
回路とインターネットプロバイダに接続された電話機との間で通話を行えるよう
にし、又、ＶＯＩＰアダプターを介して公衆電話回線に接続された電話機とも通
話を行えるようにしたローカルＩＰアドレスを使用したインターネット電話の接
続システム。
【請求項３】
請求項１又は請求項２において、ＶＯＩＰアダプターは、電話機をＩＳＤＮ回
線による接続、ＡＤＳＬモデムやＡＤＳＬルーターによる接続、ＣＡＴＶ用のケ
ーブルモデムによる接続や光ファイバーによる接続等を行うインターネットモデ
ム機能を持っていることを特徴とするローカルＩＰアドレスを使用したインター
ネット電話の接続システム。
【請求項４】
請求項１又は請求項２において、ＶＯＩＰアダプターには、企業等の社内LＡ
Ｎを介して電話機が接続されることを特徴とするローカルＩＰアドレスを使用し
たインターネット電話の接続システム。
【請求項５】
請求項１又は請求項２において、ＶＯＩＰアダプターを特定する電話番号には
ＶＯＩＰアダプターに接続された電話機の公衆電話回線の電話番号を使用するこ
とを特徴とするローカルＩＰアドレスを使用したインターネット電話の接続シス
テム。
【請求項６】
請求項１又は請求項２において、電話機を公衆電話回線とインターネット回路
網との識別信号に、ＶＯＩＰアダプターを特定する電話番号の前に特定のボタン
を押すか又は識別番号を付けることを特徴とするローカルＩＰアドレスを使用た
インターネット電話の接続システム。
【請求項７】
請求項１又は請求項２において、ＶＯＩＰアダプターを特定するインターネッ
トのＩＰアドレスに、ＶＯＩＰアダプターが接続されているプロバイダーが割り
当てたＩＰアドレスと、ＶＯＩＰアダプターのＩＰアドレスを使用することを特
徴とするローカルＩＰアドレスを使用したインターネット電話の接続システム。
【発明の詳細な説明】
【技術分野】
【０００１】
本発明は、ローカルＩＰアドレスを使用したインターネット電話の接続システ
ムに関するものである。
本発明のローカルＩＰアドレスを使用したインターネット電話の接続システムは
、ローカルＩＰアドレスが使用されるインターネット端末に付けた電話機から公
衆電話回線を使用せずにインターネット電話の通話が行え、又、公衆回線の電話
機にも直接通話が行えるようにしたものである。
【背景技術】
【０００２】
インターネットを使用した電話システムは、インターネットの回線網を電話回
線として用いることにより通信コストが低減されるために急速に普及しつつあり
、各種の方式が提案され実用化されている。
インターネットを使用した電話システムでは、音声データの送受信にコンピュ
ータの標準プロトコルであるＩＰ（Ｉｎｔｅｒｎｅｔ Ｐｒｏｔｏｃｏｌ）を使
って伝送する、ＶＯｌＰ（Ｖｏｌｃｅ ｏｖｅｒ ＩＰ）技術を使用しており、音
声を小さいデータのブロックに分け、そのブロックを空き回線を選んで送受信す
るために、従来の電話のように、通話中に端末間を通信が終了するまで回線を占
有しないために、一回線で複数の通話を流せるため通信の効率的が良く料金を安
く抑えられる特徴を持っている。
インターネットを使用した電話は、インターネットの回線網を電話回線として
用いることにより通信コストが低減されるために急速に普及しつつあり、各種の
方式が提案され実用化されている。
しかしながら、インターネット電話は同一のインターネットプロバイダーのサ
ービスに加入することが必要であり、又通常のインターネット電話では、電話機
を使用しているがターミナルアダプター（ＴＡ）、ＡＤＳＬ、ＣＡＴＶ等の接続
されている専用回線内でしか使用することが出来ない等の制約があるため汎用性
の低い使い勝手の悪いものとなっている。
特に、インターネット電話を利用するためには自己を特定するためのグローバ
ルＩＰアドレス、又は可変グローバルＩＰアドレスを持つことが必要であるため
、ＣＡＴＶのプロバイダーや大企業の一部やコールセンターで採用されているロ
ーカルＩＰアドレスを使用したインターネットサービスでは、インターネット電
話を利用することが出来なかった。
【特許文献１】特開平１０−２２４８５３号公報，
【特許文献２】特開２０００−５０４７４号公報，
【特許文献３】特開２０００−３５８１０１号公報，
【特許文献４】特開２００１−２５１４４０号公報,
【発明の開示】
【発明が解決しようとする課題】
【０００３】
従来のインターネットを使用した電話システムは、インターネット電話を利用
するためには自己を特定するグローバルＩＰアドレス、又は可変グローバルＩＰ
アドレスをもつことが必要である。このため、ＣＡＴＶのプロバイダーや大企業
の一部やコールセンターで採用されているローカルＩＰアドレスを使用したイン
ターネットサービスでは、インターネット電話を利用することは不可能であった
が、ローカルＩＰアドレスを使用したインターネットサービスを受けているユー
ザーの間からも費用の安いインターネット電話を利用したいという要望が多く出
されている。
このような状況に対応するために、ローカルＩＰアドレスを使用したインター
ネットのサービス業者等からは、ローカルＩＰアドレスが使用されるインターネ
ット端末に付けた電話機から公衆電話回線を使用せずにインターネット電話の通
話が行え、異なったインターネットプロバイダーに接続されたインターネット電
話機間の通話を可能にし、使い勝手が良く汎用性のある電話システムの実現が求
められている。
【課題を解決するための手段】
【０００４】
本発明のインターネット電話システムは、電話機を公衆電話回線とインターネ
ット回路網とに識別信号に応じて切り替え接続を行うＶＯＩＰアダプターを、ロ
ーカルＩＰアドレスを使用したインターネットプロバイダーの回路網に接続し、
ローカルＩＰアドレスを使用したインターネットプロバイダーの中に、ＶＯＩＰ
アダプターを特定する電話番号とこれに対応するローカルＩＰアドレスを対にし
て設定されているデータテーブルを持ち、電話番号とＩＰアドレスのデータの管
理を行うゲートキーパー機能を持ったローカルＩＰアドレス用ＶＯＩＰサーバー
を設け、又、インターネット回路網の中に、グローバルＩＰアドレスを持ったイ
ンターネット回路網に接続されたＶＯＩＰアダプターに接続された電話機を特定
する電話番号とこれに対応するグローバルＩＰアドレスを対にしたデータテーブ
ルと、ローカルＩＰアドレス用ＶＯＩＰサーバーのグローバルＩＰアドレスとロ
ーカルＩＰアドレスを使用したプロバイダーのインターネット回路に接続された
ＶＯＩＰアダプターに接続された電話機を特定する電話番号のデータテーブルと
を持ち、電話番号とグローバルＩＰアドレスのデータの管理を行うゲートキーパ
ー機能を持ったＶＯＩＰサーバーを設け、電話機よりＶＯＩＰアダプターを通し
てローカルＩＰアドレス用ＶＯＩＰサーバーにアクセスし接続先の電話番号を指
定するようにし、指定した接続先の電話番号がローカルＩＰアドレス用ＶＯＩＰ
サーバーのデータテーブルに存在する場合は、接続先のローカルＩＰアドレスが
設定されている電話機に接続するようにし、
【０００５】
指定した接続先の電話番号がローカルＩＰアドレス用ＶＯＩＰサーバーのデータ
テーブルに存在しない場合は、ローカルＩＰアドレス用ＶＯＩＰサーバーよりイ
ンターネット回路網に接続されたＶＯＩＰサーバーに接続要求を転送し、
ＶＯＩＰサーバーのデータテーブルに指定した接続先の電話番号が存在する場合
は、接続先のＩＰアドレスが設定されている電話機に接続するようにし、
ＶＯＩＰサーバーのデータテーブルに指定した接続先の電話番号が存在しない場
合は、ＶＯＩＰアダプターを介して公衆電話回線により電話機の接続を行うよう
にしたローカルＩＰアドレスを使用したインターネット電話の接続システムを実
現することにより従来のインターネット電話の問題点を解決したものである。
上記のように構成されたインターネット電話システムでは、ローカルＩＰアド
レスを使用したインターネットにおいても、あらかじめ各インターネットに接続
された電話機が、他のインターネットに接続されている電話機に割り当てられた
電話番号を使用することにより、インターネット接続された電話機からインター
ネット接続された電話機及び公衆電話回線に接続された電話機への発信が容易に
実現できる。
【発明の効果】
【０００６】
本発明のローカルＩＰアドレスを使用したインターネット電話システムは、電
話機を公衆電話回線とインターネット回路網とに識別信号に応じて切り替え接続
を行うＶＯＩＰアダプターを、ローカルＩＰアドレスを使用したインターネット
プロバイダーの回路網に接続して、ローカルＩＰアドレスを使用したインターネ
ットにおいても、あらかじめ各インターネットに接続された電話機が、他のイン
ターネットに接続されている電話機に割り当てられた電話番号を使用することに
より、インターネット接続された電話機からインターネット接続された電話機及
び公衆電話回線に接続された電話機への発信が容易に実現できる。
このため、本発明のローカルＩＰアドレスを使用したインターネット電話シス
テムは、自己を特定するグローバルＩＰアドレス、又は可変グローバルＩＰアド
レスを持たずにローカルＩＰアドレスを使用している、ＣＡＴＶのプロバイダー
や大企業の一部やコールセンターで行われているインターネットサービスでも、
インターネット電話を利用することは可能になり、ローカルＩＰアドレスを使用
したインターネットサービスを受けているユーザーも費用の安いインターネット
電話を利用することが可能になる。
本発明では、あらかじめローカルＩＰアドレスを使用したイターネット使用者に
割り当てられた公衆回線の電話番号とローカルＩＰアドレスに対応させることが
出来るため、加入電話からローカルＩＰアドレスを使用したインターネット通話
装置への発信、インターネット通話装置から加入電話への発信、インターネット
通話装置からインターネット通話装置への発信、が容易に実現できる。
又、本発明のローカルＩＰアドレスを使用したインターネット電話システムは
、発信元、発信先が加入電話かインターネット通話装置かをまったく意識する必
要が無く、かつ従来の加入電話とまったく同じ操作性を実現する。さらにインタ
ーネット通話装置間での通話料は、インターネットサービスプロバイダの接続料
金を除けば、距離にかかわらず、基本的に無料であるためローカルＩＰアドレス
を使用したインターネットにおいても通信経費の大幅節減が出来る。
【発明を実施するための最良の形態】
【０００７】
以下、本発明のローカルＩＰアドレスを使用したインターネット電話の接続シ
ステムの実施形態について図１〜図５を参照して説明する。
図１は、本発明のローカルＩＰアドレスを使用したインターネット電話の接続
システム構成例を示す説明図である。
図１において、１１，１２は公衆回線に使用される電話機である。
２１，２２は公衆回線の電話機を公衆回線とローカルＩＰアドレスを使用したイ
ンターネット回路とに任意に切り替え接続を行うＶＯＩＰアダプターである。
ＶＯＩＰアダプター２１，２２は、電話機の接続されるアナログ端子と、パソコ
ン等の接続されるデジタル端子と、インターネットのネットワークインターフェ
イスと、公衆回線のアナログ電話機インターフェイスとを持ち、電話機から送ら
れる識別信号に応じて電話機をインターネットへの接続とするか、公衆回線への
接続とするかの選択接続機能と、インターネットへの接続するための音声処理を
行うＶＯＩＰ対応した音声処理機能を備えたソフトウェアで構成されている。
ＶＯＩＰアダプター２１，２２は、電話機とインターネットサービスプロバイダ
間を接続するためのインターネットモデムの機能を持っている。
ＶＯＩＰアダプター２１，２２には、企業等の社内LＡＮを介して電話機を接続
することも可能である。
【０００８】
インターネットモデム機能には、ターミナルアダプターやＩＳＤＮルーターを用
いＩＳＤＮ回線による接続、ＡＤＳＬモデムやＡＤＳＬルーターによる接続、
ＣＡＴＶ用のケーブルモデムによる接続等の機能があり、ＣＡＴＶ用のケーブル
モデム機能は、有線ＴＶ放送ネットワークに接続してＣＡＴＶ網の帯域の隙間を
利用してインターネットに接続する方式で、光ケーブルでＣＡＴＶ局に接続され
ており、通常はＣＡＴＶ局より送信されるＴＶ番組の受信を行っているが、光
ケーブルの広帯域特性を使用してインターネットへの接続が行われている。
ＶＯＩＰアダプター２１，２２は、アナログ端子に接続された電話機から送ら
れる識別信号に応じて電話機をインターネットのネットワークインターフェイス
に接続とするか、公衆回線のアナログ電話機インターフェイスに接続とするかの
選択を行う。ＶＯＩＰアダプター２１，２２は電話又はＦＡＸを、インターネッ
トへの接続する場合には電話の音声をＶＯＩＰ対応した音声処理を行った後、ネ
ットワークインターフェイスに送り出し、ＣＡＴＶモデムのネットワーク接続端
子を通してインターネット回路に接続する。
又、ＶＯＩＰアダプター２１，２２は電話又はＦＡＸを、公衆回線に接続する場
合は公衆回線に直接接続する。
【０００９】
このようにして、ＶＯＩＰアダプター２１，２２は、電話機から送られる識別信
号に応じて電話機をインターネットへの接続とするか、公衆回線への接続とする
かの選択接続を行う。
３０は、ローカルＩＰアドレスを使用したインターネット回路である。
ローカルＩＰアドレスを使用したインターネットプロバイダは、自己のサーバー
と利用者のＣＡＴＶモデム等とを高速デジタル回線のインターネット回路網３０
により接続し、又専用線で他のインターネットサービスプロバイダと接続するこ
とによりインターネット回路網上の通信を実現している。
４０は、ローカルＩＰアドレス用ＶＯＩＰサーバーである。ローカルＩＰアドレ
ス用ＶＯＩＰサーバーは、各ＶＯＩＰアダプター２１に割り当てられた電話番号
（ユーザーＩＤ）と、機器識別のＭａｃアドレスとＶＯＩＰアダプターのローカ
ルＩＰアドレスのデータテーブルを持ち、電話番号（ユーザーＩＤ）とＶＯＩＰ
アダプターの機器識別のＭａｃアドレスとローカルＩＰアドレスの対応テーブル
などの管理を行うゲートキーパー機能を持っている。
【００１０】
図２は、ローカルＩＰアドレス用ＶＯＩＰサーバー４０のデータテーブルの構
成を示したものである。図２に示すように、ローカルＩＰアドレス用ＶＯＩＰサ
ーバーのデータテーブルは、ローカルＩＰアドレス用ＶＯＩＰサーバーが管理し
ているすべてのＶＯＩＰアダプターの電話番号（ユーザーＩＤ）と、プロバイダ
ーが割り当てたＶＯＩＰアダプターのローカルＩＰアドレス，機器識別のＭａｃ
アドレスが対で登録されており、発信先電話番号がこのサーバーに入力された時
、このデータテーブルを検索することにより、発信先のＶＯＩＰアダプターのロ
ーカルＩＰアドレス，機器識別のＭａｃアドレスが容易に得られる構成となって
いる。
ＷＡＮ側のローカルＩＰアドレスは、接続しているＶＯＩＰアダプターに対し
て割り当てられているが、常時接続型のインターネット接続であっても、接続が
中断後、再開した時に新たなＷＡＮ側のローカルＩＰアドレスが割り当てられる
場合や、機器識別のＭａｃアドレスが割り当てられる場合には、ＶＯＩＰアダプ
ターとローカルＩＰアドレス用ＶＯＩＰサーバー４０の自動更新プログラムによ
りその更新処理が行われる。
ローカルＩＰアドレス用ＶＯＩＰサーバー４０の中央処理装置は、メインメモ
リ中の制御プログラムの指令を受け、ＶＯＩＰアダプターから受信したＶＯＩＰ
アダプターのパケットを読み出す。パケットは電話番号と更新されたＷＡＮ側の
ＩＰアドレス，機器識別のＭａｃアドレスを含んでいる。中央処理装置は、メイ
ンメモリ中の制御プログラムの指令を受け、データテーブルをインターネット電
話装置の電話番号で検索し、該当した電話番号に対応するＷＡＮ側のＩＰアドレ
スを、新しいＷＡＮ側のＩＰアドレス，機器識別のＭａｃアドレスで更新する。
【００１１】
５０は、グローバルＩＰアドレスを使用したインターネット回路網である。
グローバルＩＰアドレスを使用したインターネットプロバイダは、自己のサーバ
ーと利用者のインターネットモデム等とをインターネット回路網５０により接続
し、又専用線で他のインターネットサービスプロバイダと接続することによりイ
ンターネット回路網上の通信を実現している。
６０は、インターネット回路網５０に設けられたＶＯＩＰサーバーである。ＶＯ
ＩＰサーバー６０は、インターネット回路網５０に接続された各ＶＯＩＰアダプ
ター２２に割り当てられた電話番号（ユーザーＩＤ）と、ＶＯＩＰアダプターの
グローバルＩＰアドレスのデータテーブル及び、ローカルＩＰアドレス用ＶＯＩ
Ｐサーバー４０のグローバルＩＰアドレスとそのデータテーブルを持ち、電話番
号（ユーザーＩＤ）とＶＯＩＰアダプターのグローバルＩＰアドレス用の対応テ
ーブルなどの管理を行うゲートキーパー機能を持っている。
このため、ＶＯＩＰサーバー６０には、ＶＯＩＰサーバー４０の最新のデータテ
ーブルがミラーコピーされる。
【００１２】
図３は、ＶＯＩＰサーバー６０のデータテーブルの構成を示したものである。
図３に示すように、ＶＯＩＰサーバーのデータテーブルは、ＶＯＩＰサーバーが
管理しているすべてのＶＯＩＰアダプター２２の電話番号（ユーザーＩＤ）と、
プロバイダーが割り当てたＶＯＩＰアダプターのグローバルＩＰアドレス，機器
識別のＭａｃアドレス及び、ローカルＩＰアドレス用ＶＯＩＰサーバー４０のグ
ローバルＩＰアドレスとローカルＩＰアドレス用ＶＯＩＰサーバーが管理してい
るすべてのＶＯＩＰアダプターの電話番号（ユーザーＩＤ）と、プロバイダーが
割り当てたＶＯＩＰアダプターのローカルＩＰアドレス，機器識別のＭａｃアド
レスが対で登録されており、発信先電話番号がこのサーバーに入力された時、こ
のデータテーブルを検索することにより、発信先のＶＯＩＰアダプター２２、又
はローカルＩＰアドレス用ＶＯＩＰサーバー４０のグローバルＩＰアドレス，
ＶＯＩＰアダプターの電話番号（ユーザーＩＤ），機器識別のＭａｃアドレスが容
易に得られる構成となっている。
ＷＡＮ側のグローバルＩＰアドレスは、接続しているＶＯＩＰアダプター２２
に対して割り当てられているが、常時接続型のインターネット接続であっても、
接続が中断後、再開した時に新たなＷＡＮ側のグローバルＩＰアドレスが割り当
てられる場合や、機器識別のＭａｃアドレスが割り当てられる場合には、
ＶＯＩＰアダプターとＶＯＩＰサーバー６０の自動更新プログラムによりその更
新処理が行われる。
【００１３】
ＶＯＩＰサーバー６０の中央処理装置は、メインメモリ中の制御プログラムの
指令を受け、ＶＯＩＰアダプター２２から受信したＶＯＩＰアダプターのパケッ
トを読み出す。パケットは電話番号と更新されたＷＡＮ側のＩＰアドレス，機器
識別のＭａｃアドレスを含んでいる。中央処理装置は、メインメモリ中の制御プ
ログラムの指令を受け、データテーブルをインターネット電話装置の電話番号で
検索し、該当した電話番号に対応するＷＡＮ側のＩＰアドレスを、新しいＷＡＮ
側のＩＰアドレス，機器識別のＭａｃアドレスで更新する。
７０は、公衆回線のアナログ電話網である。各電話機１１，１２はそれぞれＶ
ＯＩＰアダプター２１，２２を介して公衆回線のアナログ電話網７０にも接続さ
れている。
このように構成された本発明のローカルＩＰアドレスを使用したインターネッ
ト電話の接続システムの動作を以下に説明する。
本発明のローカルＩＰアドレスを使用したインターネット電話の接続システムで
は、ローカルＩＰアドレス用インターネット回路網３０に接続された電話機１１
がインターネット通話装置として利用可能になる。
本発明のローカルＩＰアドレスを使用したインターネット電話の接続システム
におけるインターネット通話を行う場合の、電話機１１の通話要求から接続まで
の処理手順例を、図４の接続フローチャートを使用して説明する。
【００１４】
本発明のローカルＩＰアドレスを使用したインターネット電話の接続システム
では、インターネット電話の接続を行う場合の電話番号（ユーザーＩＤ）には、
インターネット電話装置に付けられた公衆電話回線の電話番号をそのまま使用し
、公衆電話の回線網に接続し通話を行う場合には、インターネットと公衆電話と
を識別す番号をダイヤルしてから相手の公衆電話の電話番号をダイヤルすること
により、インターネット電話と公衆電話回線網を使用する電話との識別を行うよ
うにしている。
＊ダイヤル
発信者が、ローカルＩＰアドレスのインターネット回路網に接続された電話装
置１１からインターネット通話を行う場合には、相手の電話番号（ユーザーＩＤ）
を「ダイヤル」する。例えば、０３−１２３４−５６７８とダイヤルする。
＊発信
ユーザーＡの電話機１１の接続されたＶＯＩＰアダプター２１は、インターネ
ット通話要求を、ローカルＩＰアドレス用ＶＯＩＰサーバー４０のディレクトリ
サーバーシステムに「発信」する。
ＶＯＩＰアダプター２１の通話要求の発信データは、相手のユーザーＢの電話の
番号（ユーザーＩＤ）と、ユーザーＡの電話の番号（ユーザーＩＤ）、インター
ネットに接続されている機器を識別するＭａｃアドレス、ＶＯＩＰアダプター２
１のローカルＩＰアドレスのデータである。
ＶＯＩＰアダプター２１の発信データは、インターネットモデムを通してローカ
ルＩＰアドレスインターネット回路３０に接続されているローカルＩＰアドレス
用ＶＯＩＰサーバー４０のＩＰアドレスに送信することによってサーバー４０に
通知される。
【００１５】
＊ローカルＩＰアドレス用ＶＯＩＰサーバーによる相手の検索
ＶＯＩＰアダプター２１の通話要求を受け取ったローカルＩＰアドレス用ＶＯ
ＩＰサーバー４０の中央処理装置は、メインメモリ中の制御プログラムの指令を
受け、受信した通話要求の発信データを読み出す。発信データはユーザーＢのＶ
ＯＩＰアダプターの電話の番号（ユーザーＩＤ）とユーザーＡの電話の番号（ユ
ーザーＩＤ）、ＷＡＮ側のＩＰアドレス、ＶＯＩＰアダプター２０のローカルＩ
Ｐアドレス，機器識別のＭａｃアドレス等のデータから構成されている。中央処
理装置は、メインメモリ中の制御プログラムの指令により、登録されているデー
タテーブルから発信データに示された電話番号のデータを検索する。
＊ローカルＩＰアドレス用ＶＯＩＰサーバーによる相手の呼出
ローカルＩＰアドレス用ＶＯＩＰサーバー４０の中央処理装置は、データテーブ
ルを検索した結果、ユーザーＢ電話番号と一致するデータを特定すると、データ
テーブルから読み出し、ユーザーＢの電話番号に対応するＷＡＮ側のＩＰアドレ
ス、ＶＯＩＰアダプターのＩＰアドレス，機器識別のＭａｃアドレスに変換し、
これを使用してローカルＩＰアドレスインターネット回路３０を通して通話相手
のユーザーＢのＶＯＩＰアダプターに「接続」し、「呼出」す。
「呼出」を受けたユーザーＢのＶＯＩＰアダプターは、ユーザーＢの電話番号
（ユーザーＩＤ）とこれに対応するＷＡＮ側のＩＰアドレス、ＶＯＩＰアダプタ
ーのＩＰアドレスと、通話要求先のユーザーＡの電話番号（ユーザーＩＤ）をロ
ーカルＩＰアドレス用ＶＯＩＰサーバー４０に返信することにより「応答」（受
話器を取る）する。サーバー４０はユーザーＢのＶＯＩＰアダプターからの返信
データを発信者のユーザーＡのＶＯＩＰアダプター２１に転送することにより相
手との通話が確立される。
【００１６】
＊ローカルＩＰアドレス用ＶＯＩＰサーバーからの発信
ローカルＩＰアドレス用ＶＯＩＰサーバー４０は、データテーブルを検索した
結果、登録されている電話番号（ユーザーＩＤ）に該当するものが無い場合には
ＶＯＩＰアダプター２１のインターネット通話要求を、インターネット回路網５
０を通してＶＯＩＰサーバー６０のディレクトリサーバーシステムに「発信」す
る。
ＶＯＩＰアダプター２１の通話要求の発信データは、相手のユーザーＢの電話の
番号（ユーザーＩＤ）と、ユーザーＡの電話の番号（ユーザーＩＤ）、インター
ネットに接続されている機器を識別するＭａｃアドレス、ＶＯＩＰアダプター２
０のローカルＩＰアドレスのデータである。
ＶＯＩＰアダプター２１の発信データは、インターネットモデムを通してローカ
ルＩＰアドレスインターネット回路３０に接続されているローカルＩＰアドレス
用ＶＯＩＰサーバー４０のＩＰアドレスに送信することによってＶＯＩＰサーバ
ー４０に通知される。
＊ＶＯＩＰサーバーによる相手の検索
ＶＯＩＰアダプター２１の通話要求を受け取ったＶＯＩＰサーバー６０の中央
処理装置は、メインメモリ中の制御プログラムの指令を受け、受信した通話要求
の発信データを読み出す。発信データはユーザーＢのＶＯＩＰアダプターの電話
の番号（ユーザーＩＤ）とユーザーＡの電話の番号（ユーザーＩＤ）、ＷＡＮ側
のＩＰアドレス、ＶＯＩＰアダプター２１のローカルＩＰアドレス，機器識別の
Ｍａｃアドレス等のデータから構成されている。中央処理装置は、メインメモリ
中の制御プログラムの指令により、登録されているデータテーブルから発信デー
タに示された電話番号のデータを検索する。
【００１７】
＊ＶＯＩＰサーバーの相手の呼出
ＶＯＩＰサーバー６０の中央処理装置は、データテーブルを検索した結果、ユー
ザーＢ電話番号と一致するデータを特定すると、データテーブルから読み出し、
ユーザーＢの電話番号に対応するＷＡＮ側のＩＰアドレス、ＶＯＩＰアダプター
のＩＰアドレス，機器識別のＭａｃアドレスに変換し、これを使用してインター
ネット回路網５０を通して通話相手のユーザーＢのＶＯＩＰアダプター２２に
「接続」し、「呼出」す。
「呼出」を受けたユーザーＢのＶＯＩＰアダプターは、ユーザーＢの電話番号
（ユーザーＩＤ）とこれに対応するＷＡＮ側のＩＰアドレス、ＶＯＩＰアダプタ
ーのＩＰアドレスと、通話要求先のユーザーＡの電話番号（ユーザーＩＤ）をＶ
ＯＩＰサーバー６０に返信することにより「応答」（受話器を取る）する。
ＶＯＩＰサーバー６０はユーザーＢのＶＯＩＰアダプター２２からの返信データ
をローカルＩＰアドレス用ＶＯＩＰサーバー４０とローカルＩＰアドレスインタ
ーネット回路３０を通して発信者のＶＯＩＰアダプター２１に転送することによ
り相手との通話が確立される。
＊ＶＯＩＰサーバーからの接続要求データの戻し
ＶＯＩＰサーバー６０は、データテーブルを検索した結果、ユーザーＢ電話番
号と一致するデータが検出されないと、接続要求データを転送したローカルＩＰ
アドレス用ＶＯＩＰサーバー４０を介してインターネット通話要求元の電話機の
接続されたＶＯＩＰアダプター２１に接続要求データを戻す。
インターネット通話要求元の電話機の接続されたＶＯＩＰアダプター２１は、電
話番号（ユーザーＩＤ）の接続要求データを戻されると、未加入電話であると判
断して相手の番号が登録されていないことを音声のガイダンスで通話要求先のユ
ーザーＡに返信する。
このガイダンスを受けると、相手の公衆電話の電話番号をリダイヤルし、公衆
電話の回線網に接続し公衆電話網を通して通話が行われる。
【００１８】
次に、インターネット回路網に接続された電話装置１２からユーザーＢがロー
カルＩＰアドレスのインターネット回路網に接続された電話装置１１のユーザー
Ａに対してインターネット通話を行う場合について図５のフローチャートを使用
して説明する。
インターネット回路網に接続された電話装置１２からローカルＩＰアドレスの
インターネット回路網に接続された電話装置１１に対して通話を行う場合も、ユ
ーザーＢは上記のユーザーＡと同様に、電話番号（ユーザーＩＤ）を
「ダイヤル」する。例えば、０３−２３４１−６７８５とダイヤルする。
＊発信
ユーザーＢの電話機１２の接続されたＶＯＩＰアダプター２２は、インターネ
ット通話要求を、ＶＯＩＰサーバー６０のディレクトリサーバーシステムに
「発信」する。
ＶＯＩＰアダプター２２の通話要求の発信データは、相手のユーザーＡの電話の
番号（ユーザーＩＤ）と、ユーザーＢの電話の番号（ユーザーＩＤ）、インター
ネットに接続されている機器を識別するＭａｃアドレス、ＶＯＩＰアダプター２
２のグローバルＩＰアドレスのデータである。
ＶＯＩＰアダプター２２の発信データは、インターネットモデムを通してインタ
ーネット回路網５０に接続されているＶＯＩＰサーバー６０のＩＰアドレスに送
信することによってサーバー６０に通知される。
【００１９】
＊ＶＯＩＰサーバーによる相手の検索
ＶＯＩＰアダプター２２の通話要求を受け取ったＶＯＩＰサーバー６０の中央
処理装置は、メインメモリ中の制御プログラムの指令を受け、受信した通話要求
の発信データを読み出す。発信データはユーザーＡのＶＯＩＰアダプターの電話
の番号（ユーザーＩＤ）とユーザーＢの電話の番号（ユーザーＩＤ）、ＷＡＮ側
のＩＰアドレス、ＶＯＩＰアダプター２２のＩＰアドレス，機器識別のＭａｃア
ドレス等のデータから構成されている。中央処理装置は、メインメモリ中の制御
プログラムの指令により、登録されているデータテーブルから発信データに示さ
れた電話番号のデータを検索する。
＊ＶＯＩＰサーバーによる相手の呼出
ＶＯＩＰサーバー６０の中央処理装置は、データテーブルを検索した結果、ユー
ザーＡ電話番号と一致するデータを特定すると、データテーブルから読み出し、
ユーザーＡの電話番号に対応するローカルＩＰアドレスＶＯＩＰサーバー４０の
ＷＡＮ側のＩＰアドレス、ユーザーＡの電話番号を使用してローカルＩＰアドレ
ス用ＶＯＩＰサーバー４０にユーザーＢの要求データを伝達する。
ローカルＩＰアドレス用ＶＯＩＰサーバー４０はユーザーＢの要求データにより
、ローカルＩＰアドレスインターネット回路網３０を通して通話相手のユーザー
ＡのＶＯＩＰアダプター２１に「接続」し、「呼出」す。
「呼出」を受けたユーザーＡのＶＯＩＰアダプターは、ユーザーＡの電話番号
（ユーザーＩＤ）とこれに対応するＷＡＮ側のＩＰアドレス、ＶＯＩＰアダプタ
ーのＩＰアドレスと、通話要求先のユーザーＢの電話番号（ユーザーＩＤ）をロ
ーカルＩＰアドレス用ＶＯＩＰサーバー４０を介してＶＯＩＰサーバー６０に返
信することにより「応答」（受話器を取る）する。ＶＯＩＰサーバー６０はユーザ
ーＡのＶＯＩＰアダプター２１からの返信データを発信者のユーザーＢの
ＶＯＩＰアダプター２２に転送することにより相手との通話が確立される。
【００２０】
ＶＯＩＰサーバー６０は、データテーブルを検索した結果、ユーザーＡ電話番
号と一致するデータが検出されないと、インターネット通話要求元の電話機の接
続されたＶＯＩＰアダプター２２に接続要求データを戻す。
インターネット通話要求元の電話機の接続されたＶＯＩＰアダプター２２は、電
話番号（ユーザーＩＤ）の接続要求データを戻されると、未加入電話であると判
断して相手の番号が登録されていないことを音声のガイダンスで通話要求先のユ
ーザーＢに返信する。
このガイダンスを受けると、相手の公衆電話の電話番号をリダイヤル発信し、
公衆電話の回線網に接続しの公衆電話網を通して通話が行われる。
このようにして、グローバルＩＰアドレスを使用したインターネット回路に接
続された電話機から、ローカルＩＰアドレスを使用したインターネット回路に接
続された電話機にもインターネット電話を行うことが可能になる。
本発明のローカルＩＰアドレスを使用したインターネット電話システムでは、
１．ローカルＩＰアドレス用ＶＯＩＰサーバー４０は、自己の管理するデータテ
ーブルに登録されている電話番号（ユーザーＩＤ）に該当する電話機間の通話
の制御は、各ＶＯＩＰサーバーの内部で、上記により説明した方法により実施
される。
２．ローカルＩＰアドレス用ＶＯＩＰサーバー４０は、自己の管理するデータテ
ーブルに登録されていない電話番号（ユーザーＩＤ）に該当する電話機への接
続要求が出された場合には、その接続要求をインターネット回路網のＶＯＩＰ
サーバー６０に転送する。
３．ＶＯＩＰサーバー６０は、ローカルＩＰアドレス用ＶＯＩＰサーバー４０よ
り、電話番号（ユーザーＩＤ）の接続要求データが転送されてくると、その電
話番号（ユーザーＩＤ）を自己の管理するデータテーブルを参照し、転送され
てきた電話番号（ユーザーＩＤ）の接続要求データが、自己のデータテーブル
に登録されているかを検索する。
【００２１】
4．ＶＯＩＰサーバー６０は、検索の結果、転送されてきた電話番号（ユーザー
ＩＤ）の接続要求データが登録が検出されると、そのＶＯＩＰアダプターに対
して電話番号（ユーザーＩＤ）の接続要求データを転送すると共に、電話番号
（ユーザーＩＤ）の接続要求データを転送してきたローカルＩＰアドレス用
ＶＯＩＰサーバー４０を介して転送されてきた電話番号（ユーザーＩＤ）に接
続する。
5．ＶＯＩＰサーバー６０は、検索の結果、転送されてきた電話番号（ユーザー
ＩＤ）の接続要求データが登録されているＶＯＩＰアダプターが検出されな
と、接続要求データを転送したローカルＩＰアドレス用ＶＯＩＰサーバー４０
を介して電話番号（ユーザーＩＤ）のＶＯＩＰアダプターに接続要求データを
戻す。
6．接続要求データが戻されたＶＯＩＰアダプターは、電話番号（ユーザーＩＤ
）の接続要求データを戻されると、この電話番号（ユーザーＩＤ）を一般の公
衆回線にリダイヤルする。
このようにして、電話番号（ユーザーＩＤ）の接続要求データを発信したＶＯ
ＩＰサーバーに接続された電話機と、ＶＯＩＰサーバーに接続された接続要求先
の電話機とがインターネット回路網を介して接続され、通話が行われる。
このように、本発明のローカルＩＰアドレスを使用したインターネット電話シ
ステムに使用されるＶＯＩＰアダプターは、識別信号をチェツクすることにより
、インターネット電話と一般の電話とを識別して、インターネット電話の場合に
はユーザーＩＤとして使用される公衆電話の番号をローカルＩＰアドレス用
ＶＯＩＰサーバー４０の中央処理装置に送ることにより、ローカルＩＰアドレス
用ＶＯＩＰサーバー４０は登録されているデータテーブルを検索し、検索の結果、
電話番号と一致するものがある場合には、その電話番号に対応して登録されてい
る発信先のＶＯＩＰアダプターのＩＰアドレスに発信することにより、インター
ネットプロバイダに接続された電話機の間で公衆電話回線を使用せずに通話を行
うことが出来る。
【００２２】
又、ＶＯＩＰアダプターが識別信号をチェツクしてインターネット電話ではな
いと判断した場合や、ＶＯＩＰサーバー６０が登録されているデータテーブルを
検索した結果、電話番号と一致するものが無い場合には、ＶＯＩＰアダプターを
介して公衆電話回線に接続された電話機とも通話が可能となり、発信元や発信先
が加入電話かインターネット通話装置かにかかわらず従来の加入電話と同じ操作
性により通話を行うことができる。
本発明のローカルＩＰアドレスを使用したインターネット電話システムでは、
ローカルＩＰアドレスを使用したネットワークサービスでも、通話相手がインタ
ーネット電話装置を持っていれば、通話料はインターネット接続料金のみとなり
、又転送機能を使えば遠隔地のインターネット電話装置同志を組み合わせて使用
することにより遠距離電話料金を大幅に節約できる。例えばローカルＩＰアドレ
スを使用したインターネットを使用しているＡ企業の支店Ｂがアメリカにあり、
アメリカの取引先に電話する場合には通常は高額の国際料金が発生するが、Ａ企
業と支店Ｂに転送先指定機能を持ったインターネット電話装置を設置し、支店Ｂ
までインターネットを使用し支店Ｂのインターネット電話装置にアメリカの取引
先への転送を設定することにより、アメリカ本土のみの通話料金でＡ企業からア
メリカの取引先に電話をかけることが出来るので電話料金を大幅に節約できる。
【産業上の利用可能性】
【００２３】
本発明は電気通信産業で利用可能である。
【図面の簡単な説明】
【００２４】
【図１】本発明の本発明のローカルＩＰアドレスを使用したインターネット電話システの一実施例の構成例を示す説明図である。
【図２】ローカルＩＰアドレスを使用したＶＯＩＰサーバーのデータテーブルの構成を示したものである。
【図３】ＶＯＩＰサーバーのデータテーブルの構成を示したものである。
【図４】ローカルＩＰアドレスを使用したネットワークよりインターネット通話を行う場合における、電話機の通話要求から接続までの処理手順例を示したフローチャートである。
【図５】グローバルＩＰアドレスを使用したネットワークよりローカルＩＰアドレスを使用したネットワークにインターネット通話を行う場合における、電話機の通話要求から接続までの処理手順例を示したフローチャートである。
【符号の説明】
【００２５】
１０，１１・・・公衆回線に使用される電話機，
２０，２１・・・ＶＯＩＰアダプター，
３０・・・ローカルＩＰアドレスを使用したインターネット回路網，
４０・・・ローカルＩＰアドレス用ＶＯＩＰサーバー，
５０・・・グローバルＩＰアドレスを使用したインターネット回路網，
６０・・・ＶＯＩＰサーバー
７０・・・公衆回線のアナログ電話網，
【図１】
2005080236.tif 000003
【図２】
2005080236.tif 000004
【図３】
2005080236.tif 000005
【図４】
2005080236.tif 000006
【図５】
2005080236.tif 000007